(57)【要約】【課題】外観品質を損なうことなく障子を開けた状態に維持すること。【解決手段】一端部を開口枠１０に揺動可能に支持させる一方、他端部を障子２０の下框２２に揺動可能、かつ下框２２に沿って移動可能に支持させ、開口枠１０に対する障子２０の開放位置を制限するリンク部材５０と、開口枠１０に対して障子２０が開移動した場合にリンク部材５０の他端部に設けたスライドピン５２を着脱可能に収容するピン収容溝６４を有したピン保持体６０と、スライダ４０を介して操作ハンドル３０に連係したストッパ片７０とを備え、ピン保持体６０は、ピン収容溝６４にスライドピン５２が収容された状態でストッパ片７０が係合位置に配置された場合にスライドピン５２の逸脱を阻止する一方、ストッパ片７０が非係合位置に配置された場合にスライドピン５２の逸脱を許容する。【選択図】図１１−２
2011256527.tif 000002
【特許請求の範囲】
【請求項１】
開口枠に対して障子を開閉可能に配設した建具において、
一端部を前記開口枠に揺動可能に支持させる一方、他端部を前記障子の框に揺動可能、かつ前記框に沿って移動可能に支持させ、前記開口枠に対する前記障子の開放位置を制限するリンク部材と、
開状態及び閉状態に切り替え可能に構成し、開状態においては前記リンク部材のスライドを許容する一方、閉状態においては前記框に対する前記リンク部材のスライドを阻止するストッパ手段と
を備えたことを特徴とする建具。
【請求項２】
前記障子は、框に設けた操作ハンドルの閉位置への操作により前記開口枠に対する開移動が阻止される一方、前記操作ハンドルの開位置への操作により前記開口枠に対して開移動可能となるように構成し、
前記操作ハンドルと前記ストッパ手段との間には、互いの間を連係し、前記操作ハンドルが閉位置に配置された場合に前記ストッパ手段を閉状態に移行させる一方、前記操作ハンドルが開位置に配置された場合に前記ストッパ手段を開状態に移行させる連係手段を設けたことを特徴とする請求項１に記載の建具。
【請求項３】
前記ストッパ手段は、
前記開口枠に対して前記障子が開移動した場合に前記リンク部材の他端部に設けたスライドピンを着脱可能に収容するピン収容溝を有したピン保持体と、
前記框に対して移動可能に配設するとともに、前記連係手段を介して前記操作ハンドルに連係し、前記操作ハンドルが閉位置に移動した場合に係合位置に配置される一方、前記操作ハンドルが開位置に移動した場合に非係合位置に配置されるストッパ片と
を備え、前記ピン保持体は、前記ピン収容溝に前記スライドピンが収容された状態で前記ストッパ片が係合位置に配置された場合に前記スライドピンの逸脱を阻止する一方、前記ストッパ片が非係合位置に配置された場合に前記スライドピンの逸脱を許容することを特徴とする請求項２に記載の建具。
【請求項４】
前記ピン保持体は、前記框に対して移動可能に配設し、前記係合位置に配置されたストッパ片に対して係合可能となる係合可能位置と、前記係合位置に配置されたストッパ片との係合状態を解除する係合解除位置との間を移動することを特徴とする請求項３に記載の建具。
【請求項５】
前記ピン保持体は、前記ピン収容溝の幅を拡開可能に構成し、拡開した場合に前記スライドピンを挿通させるものであり、
前記ストッパ片は、前記係合位置に配置された場合に前記ピン収容溝の拡開を阻止することによって前記スライドピンの逸脱を阻止することを特徴とする請求項３に記載の建具。
【請求項６】
前記障子は、水平方向に沿った軸心を中心として前記開口枠に回転可能に配設し、前記開口枠に対して下框を外側に突き出すように開移動するものであり、
前記操作ハンドルは、前記下框の見込み面に配設し、かつ前記障子の見込み方向に沿った軸心を中心に回転させることによって開位置と閉位置との間を移動するものであり、
前記リンク部材は、前記下框の下面と前記開口枠の下枠との間に設けたものである
ことを特徴とする請求項２に記載の建具。
【発明の詳細な説明】
【技術分野】
【０００１】
本発明は、開口枠に対して障子を開閉可能に配設した建具に関するもので、特に、開口枠に対して障子を開けた状態に維持することのできる建具に関するものである。
【背景技術】
【０００２】
この種の従来技術としては、例えば特許文献１に記載のものが提供されている。この建具は、開口枠と障子との間にリンク部材を備えている。リンク部材は、互いにスライド可能に設けた外筒と内筒とを備えるもので、外筒の基端部が開口枠に対して揺動可能に支持されている一方、内筒の基端部が障子に揺動可能に支持されている。外筒と内筒との間には、ストッパ手段が設けられている。ストッパ手段は、外筒と内筒との相対移動を制限するもので、例えば外筒の先端部に設けられている。
【０００３】
この建具では、ストッパ手段を解除操作した状態であれば、外筒と内筒とが相対的にスライドすることによってリンク部材の全長が延びるため、開口枠に対して障子を開移動させることができる。一方、障子が所定の開放位置にある状態でストッパ手段を操作し、これを機能させれば、外筒と内筒との相対移動が阻止され、リンク部材の全長が短くならない。従って、風を受ける等、障子に対して閉める方向に外力が加えられた場合にも、障子を開けた状態に維持することができるようになる。
【先行技術文献】
【特許文献】
【０００４】
【特許文献１】実公平５−４５３１号公報
【発明の概要】
【発明が解決しようとする課題】
【０００５】
ところで、開口枠に対して障子の開放位置を制限するリンク部材は、開口枠に対して障子が開移動した場合、外部に露出された状態とならざるを得ず、これに付設されるストッパ手段も外部に露出されることになる。特に、リンク部材の中間部に構成されたストッパ手段については、障子を開放した場合、外部からもっとも視認しやすい位置に配置されることになる。このため、特許文献１の建具にあっては、外観品質を考慮した場合、必ずしも好ましいとはいえない。
【０００６】
本発明は、上記実情に鑑みて、外観品質を損なうことなく障子を開けた状態に維持することのできる建具を提供することを目的とする。
【課題を解決するための手段】
【０００７】
上記目的を達成するため、本発明に係る建具は、開口枠に対して障子を開閉可能に配設した建具において、一端部を前記開口枠に揺動可能に支持させる一方、他端部を前記障子の框に揺動可能、かつ前記框に沿って移動可能に支持させ、前記開口枠に対する前記障子の開放位置を制限するリンク部材と、開状態及び閉状態に切り替え可能に構成し、開状態においては前記リンク部材のスライドを許容する一方、閉状態においては前記框に対する前記リンク部材のスライドを阻止するストッパ手段とを備えたことを特徴とする。
【０００８】
この発明によれば、ストッパ手段として框に対するリンク部材のスライドを阻止するものを適用している。従って、ストッパ手段を外部から視認できない位置に構成することもきわめて容易である。
【０００９】
また、本発明は、上述した建具において、前記障子は、框に設けた操作ハンドルの閉位置への操作により前記開口枠に対する開移動が阻止される一方、前記操作ハンドルの開位置への操作により前記開口枠に対して開移動可能となるように構成し、前記操作ハンドルと前記ストッパ手段との間には、互いの間を連係し、前記操作ハンドルが閉位置に配置された場合に前記ストッパ手段を閉状態に移行させる一方、前記操作ハンドルが開位置に配置された場合に前記ストッパ手段を開状態に移行させる連係手段を設けたことを特徴とする。
【００１０】
この発明によれば、框に設けた操作ハンドルを操作することによってストッパ手段の操作を行うようにしているため、ストッパ手段の操作性が良好となる。
【００１１】
また、本発明は、上述した建具において、前記ストッパ手段は、前記開口枠に対して前記障子が開移動した場合に前記リンク部材の他端部に設けたスライドピンを着脱可能に収容するピン収容溝を有したピン保持体と、前記框に対して移動可能に配設するとともに、前記連係手段を介して前記操作ハンドルに連係し、前記操作ハンドルが閉位置に移動した場合に係合位置に配置される一方、前記操作ハンドルが開位置に移動した場合に非係合位置に配置されるストッパ片とを備え、前記ピン保持体は、前記ピン収容溝に前記スライドピンが収容された状態で前記ストッパ片が係合位置に配置された場合に前記スライドピンの逸脱を阻止する一方、前記ストッパ片が非係合位置に配置された場合に前記スライドピンの逸脱を許容することを特徴とする。
【００１２】
この発明によれば、スライドピンがピン保持体のピン収容溝に収容された状態で操作ハンドルを閉位置に操作すれば、スライドピンのピン収容溝からの逸脱を阻止することで障子を開けた位置に維持することができる。
【００１３】
また、本発明は、上述した建具において、前記ピン保持体は、前記框に対して移動可能に配設し、前記係合位置に配置されたストッパ片に対して係合可能となる係合可能位置と、前記係合位置に配置されたストッパ片との係合状態を解除する係合解除位置との間を移動することを特徴とする。
【００１４】
この発明によれば、ピン保持体のピン収容溝にスライドピンが収容されていない状態で操作ハンドルを閉位置に操作した場合にも、スライドピンの移動によってピン保持体が係合解除位置に移動することでストッパ片との係合状態が解除されるため、その後にスライドピンをピン収容溝に収容させることができる。さらに、この状態から障子が閉じる方向に移動すれば、ピン収容溝にスライドピンが収容された状態のピン保持体が係合可能位置に移動する。この結果、ストッパ片がピン保持体に係合し、障子が開いた状態に維持されることになる。
【００１５】
また、本発明は、上述した建具において、前記ピン保持体は、前記ピン収容溝の幅を拡開可能に構成し、拡開した場合に前記スライドピンを挿通させるものであり、前記ストッパ片は、前記係合位置に配置された場合に前記ピン収容溝の拡開を阻止することによって前記スライドピンの逸脱を阻止することを特徴とする。
【００１６】
この発明によれば、ストッパ片が係合位置に配置された場合、ピン収容溝の拡開が阻止され、ピン収容溝に収容されたスライドピンの逸脱が阻止される。
【００１７】
また、本発明は、上述した建具において、前記障子は、水平方向に沿った軸心を中心として前記開口枠に回転可能に配設し、前記開口枠に対して下框を外側に突き出すように開移動するものであり、前記操作ハンドルは、前記下框の見込み面に配設し、かつ前記障子の見込み方向に沿った軸心を中心に回転させることによって開位置と閉位置との間を移動するものであり、前記リンク部材は、前記下框の下面と前記開口枠の下枠との間に設けたものであることを特徴とする。
【００１８】
この発明によれば、下框の下面にストッパ手段が配設されることになり、障子が開いた状態においても、下框によってストッパ手段を覆い隠すことが可能となり、その外観品質を維持することができる。
【発明の効果】
【００１９】
本発明によれば、ストッパ手段として框に対するリンク部材のスライドを阻止するものを適用しているため、リンク部材が外部に露出した状態においてもストッパ手段を外部から視認できない位置に構成することが容易である。また、連係手段を設ければ、框に設けた操作ハンドルを操作することによってストッパ手段の操作も行うことができるため、ストッパ手段の操作性が損なわれる恐れもない。
【図面の簡単な説明】
【００２０】
【図１】図１は、本発明の実施の形態である建具を室内側から見た正面図である。
【図２】図２は、図１に示した建具の障子が開いた状態を室内側から見た斜視図である。
【図３】図３は、図１に示した建具において障子が閉じ、かつ操作ハンドルが閉位置にある状態の要部拡大正面図である。
【図４−１】図４−１は、図３に示した建具の障子を下方から見た概念図である。
【図４−２】図４−２は、図４−１に示した建具の要部拡大平面図である。
【図５】図５は、図１に示した建具において障子が開き、かつ操作ハンドルが開位置にある状態の要部拡大正面図である。
【図６−１】図６−１は、図４−１に示した状態から操作ハンドルを開位置に移動させた際の障子を下方から見た概念図である。
【図６−２】図６−２は、図６−１に示した建具の要部拡大平面図である。
【図７−１】図７−１は、図６−１に示した状態から障子を開けた際の障子を下方から見た概念図である。
【図７−２】図７−２は、図７−１に示した建具の要部拡大平面図である。
【図８−１】図８−１は、図７−１に示した状態から障子がさらに開いた際の障子を下方から見た概念図である。
【図８−２】図８−２は、図８−１に示した建具の要部拡大平面図である。
【図９−１】図９−１は、図８−１に示した状態から操作ハンドルを閉位置に移動させた際の障子を下方から見た概念図である。
【図９−２】図９−２は、図９−１に示した建具の要部拡大平面図である。
【図１０】図１０は、図１に示した建具において障子が開き、かつ操作ハンドルが閉位置にある状態の要部拡大正面図である。
【図１１−１】図１１−１は、図１０に示した障子を下方から見た概念図である。
【図１１−２】図１１−２は、図１１−１に示した建具の要部拡大平面図である。
【図１２−１】図１２−１は、障子が開き、かつスライドピンがピン保持体のピン収容溝に到達する以前に操作ハンドルを閉位置に移動させた状態の要部拡大平面図である。
【図１２−２】図１２−２は、図１２−１に示す状態から障子がさらに開いた際の要部拡大断面図である。
【図１２−３】図１２−３は、図１２−２に示す状態から障子がわずかに閉じた際の要部拡大断面図である。
【図１３】図１３は、図１に示した建具の変形例を室内側から見た正面図である。
【図１４】図１４は、図１３に示した建具の要部拡大平面図である。
【発明を実施するための形態】
【００２１】
以下、添付図面を参照しながら本発明に係る建具の好適な実施の形態について詳細に説明する。
【００２２】
図１及び図２は、本発明の実施の形態である建具を示したものである。ここで例示する建具は、開口枠１０に対して水平方向に沿った軸心を中心として障子２０が回転可能に配設してあり、開口枠１０に対して下框２２を外側に突き出すように開移動するようにした、いわゆる突き出し窓、あるいはすべり出し窓である。開口枠１０は、上枠１１、下枠１２及び左右一対の縦枠１３を四周枠組みすることによって構成した矩形状を成すものである。障子２０は、上框２１、下框２２及び左右一対の縦框２３ａ，２３ｂを四周框組みし、さらにこれらの框２１，２２，２３ａ，２３ｂの間にガラス板等の面材２４を支持させて構成したものである。この障子２０には、下框２２において上面となる見込み面の中央部に操作ハンドル３０が取り付けてあるとともに、下框２２及び一対の縦框２３ａ，２３ｂにスライダ（連係手段）４０が配設してある。
【００２３】
操作ハンドル３０は、障子２０の見込み方向に沿った軸心を中心に回転させることにより、開位置と閉位置との間を移動し、その出力部３１が下框２２の長手方向に沿って移動するものである。本実施の形態では、図１中の実線で示した状態が操作ハンドル３０の閉位置であり、図１中の二点鎖線で示した状態が操作ハンドル３０の開位置である。操作ハンドル３０の出力部３１は、操作ハンドル３０が閉位置に配置された場合、下框２２に対してもっとも左側となる位置に配置され、操作ハンドル３０が開位置に配置された場合、下框２２に対してもっとも右側となる位置に配置される。
【００２４】
スライダ４０は、下框２２の下面から一対の縦框２３ａ，２３ｂの下端部に至る部位に図示せぬガイドを介して配設し、個々の框２２，２３の長手方向に沿ってスライド可能となる一連のもので、下框２２の下面において操作ハンドル３０の出力部３１に係合している。図には明示していないが、下框２２とそれぞれの縦框２３ａ，２３ｂとの会合部に配置されたスライダ４０は、弾性的に屈曲した状態にあり、下框２２に沿って配置されたスライダ４０が左右方向にスライドした場合に、縦框２３ａ，２３ｂに沿って配置されたスライダ４０をそれぞれ上下方向に沿ってスライドさせることが可能である。より具体的に説明すると、操作ハンドル３０の出力部３１が図１において左方に移動した場合、下框２２に沿って配置したスライダ４０が左方にスライドし、図１において左方に位置する縦框（以下、区別する場合に「左縦框２３ａ」という）に沿って配置したスライダ４０が上方にスライドし、図１において右方に位置する縦框（以下、区別する場合に「右縦框２３ｂ」という）に沿って配置したスライダ４０が下方にスライドする。同様に、操作ハンドル３０の出力部３１が図１において右方に移動した場合、下框２２に沿って配置したスライダ４０が右方にスライドし、左縦框２３ａに沿って配置したスライダ４０が下方にスライドし、右縦框２３ｂに沿って配置したスライダ４０が上方にスライドする。
【００２５】
スライダ４０には、それぞれの端部に錠装置４５が連結してある。錠装置４５は、開口枠１０の縦枠１３と障子２０の縦框２３ａ，２３ｂとの間に構成され、スライダ４０がスライドした場合に開口枠１０と障子２０との間を解錠状態と施錠状態とに切り替えるものである。図には明示していないが、錠装置４５としては、例えばスライダ４０の端部にロックピンを配設する一方、縦枠１３の対応する部位にロックプレートを配設することによって構成することができる。すなわち、操作ハンドル３０が閉位置に操作された場合にロックプレートに対してロックピンを開口枠１０の見込み方向に対向させれば、ロックピンがロックプレートに当接することで、開口枠１０に対する障子２０の開移動を阻止した施錠状態となる。これに対して操作ハンドル３０が開位置に操作された場合、ロックプレートに対してロックピンを開口枠１０の見込み方向に非対向となる位置まで移動させれば、開口枠１０に対する障子２０の開移動が可能な解錠状態となる。尚、建具に適用する錠装置４５としては、必ずしもこれらの構成に限られることはなく、操作ハンドル３０が開位置と閉位置との間を移動した場合に解錠状態と施錠状態とに切り替わるものであれば、その他の構成からなるものを適用しても構わない。
【００２６】
一方、この建具には、図３〜図１１−２に示すように、障子２０にリンク受部材２５が設けてあるとともに、開口枠１０と障子２０との間にリンク部材５０が設けてある。リンク受部材２５は、下框２２の長手方向に沿ったスライド溝２５ａ及び逃げ溝２５ｂを有したもので、下框２２に配設したスライダ４０を覆った状態で下框２２の下面に固定してある。これらスライド溝２５ａ及び逃げ溝２５ｂは、障子２０の見込み方向に沿った幅の中央部において下框２２の長手方向に互いに並設したものである。より具体的に説明すると、スライド溝２５ａは、図３においてリンク受部材２５の右側に位置する端部から長手方向の中心よりもわずかに左側となる部位にまで形成した比較的長さの大きなスリット状の切欠であり、逃げ溝２５ｂは、スライド溝２５ａからわずかに距離を離してリンク受部材２５の左側に位置する端部に形成した比較的長さの小さいスリット状の切欠である。
【００２７】
リンク部材５０は、開口枠１０に対して障子２０を開移動させた場合にこれら開口枠１０と障子２０との間に介在することにより、開口枠１０に対する障子２０の開放位置を制限するものである。本実施の形態では、図３〜図１１−２に示すように、下枠１２の上面と下框２２の下面との間に単一の部材からなるリンク部材５０を設けるようにしている。リンク部材５０の一端部は、上下方向に沿った支持ピン５１を介して下枠１２に取り付けてあり、支持ピン５１の軸心を中心に下枠１２に対して揺動することが可能である。これに対してリンク部材５０の他端部は、上下方向に沿ったスライドピン５２を有しており、このスライドピン５２をリンク受部材２５のスライド溝２５ａに挿通させることにより、スライドピン５２の軸心を中心に下框２２に対して回転可能、かつスライド溝２５ａに沿って移動可能に支持させてある。
【００２８】
開口枠１０に対して障子２０を完全に閉めた場合、リンク部材５０は、下枠１２と下框２２との間において下框２２の長手方向に沿って配置され、スライドピン５２が図３においてリンク受部材２５のスライド溝２５ａにおいてもっとも右側となる部位に配置される。開口枠１０に対して障子２０を開移動させると、リンク部材５０は、支持ピン５１及びスライドピン５２の軸心を中心として適宜揺動するとともに、スライドピン５２が図３においてスライド溝２５ａを適宜左方に移動し、図２に示すように、開口枠１０と障子２０との間に掛け渡した状態に配置される。スライドピン５２がスライド溝２５ａのもっとも左側に配置されると、スライドピン５２の移動が阻止され、開口枠１０に対する障子２０の開放位置が制限されることになる。
【００２９】
図３〜図１１−２に示すように、リンク受部材２５と下框２２に配設したスライダ４０との間には、収容空間２５Ａが構成してあり、この収容空間２５Ａにピン保持体６０及びストッパ片７０が配設してある。
【００３０】
ピン保持体６０は、リンク受部材２５に対して下框２２の長手方向に沿って移動可能に配設したもので、ガイドピン６１及びピン挟持片６２を有している。ガイドピン６１は、直方体状を成す保持体本体６３に上下方向に沿って保持させたもので、その突出端部がリンク受部材２５の逃げ溝２５ｂに挿通してあり、リンク受部材２５に対するピン保持体６０の移動範囲を規定するように機能する。ピン挟持片６２は、リンク受部材２５のスライド溝２５ａに対してその上方部を覆う大きさに形成した突出部分であり、保持体本体６３から図３において右側に突出するように設けてある。ピン挟持片６２は、ガイドピン６１が逃げ溝２５ｂにおいてスライド溝２５ａからもっとも離隔した位置に配置された場合にもスライド溝２５ａにおいて図３のもっとも左側に位置する部分を覆うだけの長さを有している。
【００３１】
このピン挟持片６２には、ピン収容溝６４が形成してある。ピン収容溝６４は、ピン挟持片６２の突出端部からスライド溝２５ａに対向するように形成したスリット状の切欠であり、ピン収容部６４ａ、狭幅部６４ｂ、導出傾斜面６４ｃ及び導入傾斜面６４ｄを有している。ピン収容部６４ａは、ピン収容溝６４のもっとも奥方に設けた部分であり、リンク部材５０に設けたスライドピン５２の外径にほぼ等しい幅を有して形成してある。狭幅部６４ｂは、ピン収容溝６４の開口側に形成した部分であり、通常状態においてはスライドピン５２の外径よりも幅の狭い間隔を有して形成してある。導出傾斜面６４ｃは、狭幅部６４ｂの奥側端部からピン収容部６４ａに向けて漸次幅が広がるように形成した傾斜部分である。導入傾斜面６４ｄは、狭幅部６４ｂの終端部からピン挟持片６２の突出端部に向けて漸次幅が広くなるように形成した傾斜部分である。導入傾斜面６４ｄのもっとも先端側に位置する部分は、スライドピン５２の外径よりも大きな幅を有するように形成してある。
【００３２】
上記のような構成を有するピン保持体６０は、例えば弾性に富んだ合成樹脂材によって保持体本体６３及びピン挟持片６２が一体に成形してあるとともに、ピン挟持片６２が保持体本体６３に比べて薄肉に形成してあり、外力を加えた場合、ピン収容溝６４における狭幅部６４ｂの相互間隔を比較的容易に弾性的に拡開することが可能である。
【００３３】
ストッパ片７０は、ピン保持体６０よりも図３において右側に配置され、リンク受部材２５に対して下框２２の長手方向に沿って移動可能に配設したもので、スライダ連結部７１、スライドピン通過用凹部７２及び一対の係合アーム７３を有している。スライダ連結部７１は、直方体状を成すストッパ片本体７４の上面から上方に突出した凸状部である。このスライダ連結部７１は、下框２２に配設したスライダ４０の連結孔４１に嵌合することにより、スライダ４０がスライドした場合にストッパ片７０を連動させるものである。スライドピン通過用凹部７２は、ストッパ片本体７４の下面においてリンク受部材２５のスライド溝２５ａに対向する部位に形成した凹溝であり、スライド溝２５ａの長手方向に沿って形成してある。このスライドピン通過用凹部７２は、スライドピン５２の直径よりも大きな幅を有して形成してあり、リンク受部材２５に対してストッパ片７０が任意の位置に配置された場合にも、スライド溝２５ａに沿って移動するスライドピン５２がストッパ片７０に干渉しないようにするものである。一対の係合アーム７３は、リンク受部材２５のスライド溝２５ａに対してその両側となる部位に互いにほぼ平行となるように配設した突出部分である。一対の係合アーム７３の相互間隔は、ピン保持体６０に設けたピン挟持片６２に外力が加えられていない場合に、ピン挟持片６２の両側に当接可能となる大きさに構成してある。これら一対の係合アーム７３は、ピン保持体６０に比べて硬質となる合成樹脂材によってストッパ片本体７４と一体に成形してあり、外力を加えた場合にも、容易に拡開することはない。
【００３４】
このストッパ片７０は、図５に示すように、操作ハンドル３０が開位置に配置された場合にリンク受部材２５の収容空間２５Ａにおいてもっとも右側となる部位に位置する（非係合位置）。この状態から操作ハンドル３０を閉位置に移動させると、スライダ４０を介してストッパ片７０が左側に移動する（係合位置）。操作ハンドル３０が閉位置に配置された場合、図３及び図４−１、図４−２に示すように、ガイドピン６１が逃げ溝２５ｂのもっとも右側に配置された状態（係合可能位置）のピン保持体６０に対しては、一対の係合アーム７３をピン挟持片６２の両側に当接させることが可能である。従って、外力が加えられた場合にもピン挟持片６２に形成したピン収容溝６４における狭幅部６４ｂの相互間隔を拡開することを阻止することができる（閉状態）。これに対して、ガイドピン６１が逃げ溝２５ｂのもっとも左側に配置された状態（係合解除位置）のピン保持体６０に対しては、図８−１、図８−２に示すように、一対の係合アーム７３をピン挟持片６２に接触させることができない。従って、外力を加えることにより、狭幅部６４ｂの相互間隔を拡開することが可能となる（開状態）。
【００３５】
上記のように構成した建具では、上述したように、操作ハンドル３０を閉位置に配置させた場合、錠装置４５が施錠状態となり、開口枠１０に対して障子２０を閉じた状態に維持することができる。この場合、図３〜図４−２に示すように、スライドピン５２がリンク受部材２５のスライド溝２５ａにおいてもっとも右側となる位置に配置された状態にある。またこのとき、ストッパ片７０が係合位置に配置され、一対の係合アーム７３がピン保持体６０のピン挟持片６２に当接された状態となっている。
【００３６】
この状態から、操作ハンドル３０を開位置に配置させると、錠装置４５が解錠状態となり、開口枠１０に対して障子２０を開けることが可能となる。この場合、図６−１、図６−２に示すように、ストッパ片７０が非係合位置に移動し、一対の係合アーム７３がピン保持体６０のピン挟持片６２から離隔するため、ピン挟持片６２に形成したピン収容溝６４の狭幅部６４ｂは、相互間隔を拡開することが可能な状態となる。従って、図７−１〜図８−２に示すように、障子２０が開移動するに従ってスライドピン５２がスライド溝２５ａを移動すると、スライドピン５２がピン挟持片６２の導入傾斜面６４ｄに当接し、その後、狭幅部６４ｂが拡開することでスライドピン５２がピン収容溝６４のピン収容部６４ａに収容されることになる。スライドピン５２がピン収容溝６４のピン収容部６４ａに到達した時点で狭幅部６４ｂは、弾性復元力によって復帰し、相互間隔がスライドピン５２の外径よりも狭い間隔となる。尚、スライドピン５２がピン収容部６４ａに収容された時点においては、スライドピン５２によってピン保持体６０が左方に移動し、ガイドピン６１が係合解除位置に配置された状態にある。
【００３７】
スライドピン５２がピン保持体６０のピン収容部６４ａに収容された後、操作ハンドル３０を閉位置に操作すると、図９−１、図９−２に示すように、ストッパ片７０が係合位置に配置された状態となる。従って、この状態から開口枠１０に対して障子２０をわずかに閉じる方向に移動させると、スライドピン５２の移動に伴ってピン保持体６０がストッパ片７０に近接する方向に移動して係合位置となり、図１０、図１１−１、図１１−２に示すように、一対の係合アーム７３の間にピン挟持片６２が挿入された状態となる。
【００３８】
一方、スライドピン５２がピン収容部６４ａに収容される以前の状態において操作ハンドル３０を閉位置に操作した場合には、係合アーム７３によって狭幅部６４ｂの拡開が阻止されるため、図１２−１に示すように、スライドピン５２が導入傾斜面６４ｄに当接してもピン収容部６４ａには至らない。
【００３９】
しかしながら、そのまま障子２０を開移動させれば、図１２−２に示すように、スライドピン５２に当接したピン保持体６０が係合解除位置に移動し、係合アーム７３から離隔した状態となるため、この時点でスライドピン５２をピン収容部６４ａに収容させることが可能となる。従って、この状態から開口枠１０に対して障子２０をわずかに閉じる方向に移動させると、スライドピン５２の移動に伴ってピン保持体６０がストッパ片７０に近接する方向に移動して係合位置となり、図１２−３に示すように、ピン収容部６４ａにスライドピン５２を収容させた状態で、一対の係合アーム７３の間にピン挟持片６２が挿入される。
【００４０】
図１１−２及び図１２−３に示す状態においては、一対の係合アーム７３によってピン挟持片６２の変形が阻止され、外力を加えた場合にも、ピン収容溝６４の狭幅部６４ｂを拡開させることが困難となる。この結果、スライドピン５２がスライド溝２５ａの左方側に拘束され、リンク部材５０が開口枠１０と障子２０との間に掛け渡された状態となり、障子２０に対して風が当たる等、外力が作用した場合にも、障子２０を開いた状態に維持することができるようになる。
【００４１】
尚、図８−１、図８−２に示す状態から操作ハンドル３０が開位置のままで障子２０を閉める方向に移動させると、あるいは図１１−１、図１１−２に示す状態から操作ハンドル３０を開位置に配置させた後に障子２０を閉める方向に移動させると、スライドピン５２が導出傾斜面６４ｃに当接し、導出傾斜面６４ｃの傾斜作用によって狭幅部６４ｂが拡開されることになる。従って、スライドピン５２がピン保持体６０のピン収容溝６４から逸脱し、スライドピン５２がリンク受部材２５のスライド溝２５ａに沿って右側に移動する。この結果、開口枠１０に対して障子２０を閉じることができるようになる。
【００４２】
ここで、上述した建具においては、下框２２に対するリンク部材５０のスライドを阻止することによって障子２０を開いた状態に維持するようにしている。下框２２に対するリンク部材５０のスライドを阻止するための構成要素、つまり、リンク部材５０のスライドピン５２、リンク受部材２５、ピン保持体６０、ストッパ片７０、スライダ４０のいずれをも下框２２や縦框２３ａ，２３ｂによって覆い、障子２０を開閉させた際に外部から視認できない位置に構成することができる。しかも、下框２２に設けた操作ハンドル３０を操作することで、上述した構成要素５２，２５，６０，７０，４０を操作することができるため、その操作性が何ら損なわれることはない。
【００４３】
尚、上述した実施の形態では、戸先框となる下框と下枠との間にリンク部材を設けるようにしているが、必ずしも戸先框と開口枠との間に設ける必要はない。例えば、上述した実施の形態であれば、縦框と開口枠の縦枠との間にリンク部材を設けるようにしても構わない。
【００４４】
また、上述した実施の形態では、開口枠に対して下框を外側に突き出すように開移動するようにした建具を例示しているが、必ずしもこれに限定されず、例えば開口枠に対して障子がスライドすることによって開移動するものに適用することも可能である。
【００４５】
さらに、上述した実施の形態では、障子の框に設けた操作ハンドルの操作に連係させてストッパ部材を開状態と閉状態とに切り替えるようにしているが、本発明は必ずしもこれに限定されない。
【００４６】
例えば、図１３及び図１４に示す建具の変形例では、障子２０の下框２２に設けたリンク受部材２５の両側からストッパ片１７０のストッパ操作部１７５を外部に露出させ、ストッパ操作部１７５を介してリンク受部材２５の外部からストッパ片１７０を直接操作できるように構成している。すなわち、この変形例に示すストッパ片１７０は、実施の形態で示したストッパ片７０に対して、スライダ４０の連結孔４１に嵌合するスライダ連結部７１を省略する一方、ストッパ片本体１７４の両側にストッパ操作部１７５を形成し、各ストッパ操作部１７５をリンク受部材２５の両側に形成した操作スライド孔２５ｃから外部に突出するように設けてある。このストッパ片１７０が一対の係合アーム１７３を有し、これら係合アーム１７３をピン保持体６０に設けたピン挟持片６２の両側に当接させることでピン収容溝６４に収容されたスライドピン５２の逸脱を阻止する点、並びにストッパ片本体１７４の下面においてリンク受部材２５のスライド溝２５ａに対向する部位にスライドピン５２との干渉を避けるスライドピン通過用凹部１７２が設けてある点は、それぞれ実施の形態と同様である。尚、変形例において実施の形態と同様の構成に関しては同一の符号を付してそれぞれの詳細説明を省略している。
【００４７】
上記のように構成した変形例の建具においても、下框２２に対するリンク部材５０のスライドを阻止することによって障子２０を開いた状態に維持するようにしている。従って、下框２２に対するリンク部材５０のスライドを阻止するための構成要素、つまり、リンク部材５０のスライドピン５２、リンク受部材２５、ピン保持体６０、ストッパ片１７０、スライダ４０のいずれをも下框２２や縦框２３ａ，２３ｂによって覆い、障子２０を開閉させた際に外部から視認できない位置に構成することができる。しかも、開口枠に対して障子を開けた状態であれば、図１３に示すように、下框２２の下方においてストッパ操作部１７５を操作することができ、リンク受部材２５の内部に配設したストッパ片１７０を操作することができるため、その操作性が損なわれる恐れはない。尚、変形例を構成する場合、ストッパ操作部１７５は、必ずしもストッパ片１７０と一体に成形する必要はなく、ストッパ片１７０に後から操作ピンを設けるようにしても構わない。
【符号の説明】
【００４８】
１０      開口枠
２０      障子
２５      リンク受部材
２５ａ      スライド溝
２５ｂ      逃げ溝
３０      操作ハンドル
３１      出力部
４０      スライダ
４５      錠装置
５０      リンク部材
５１      支持ピン
５２      スライドピン
６０      ピン保持体
６１      ガイドピン
６２      ピン挟持片
６３      保持体本体
６４      ピン収容溝
６４ａ      ピン収容部
６４ｂ      狭幅部
６４ｃ      導出傾斜面
６４ｄ      導入傾斜面
７０，１７０      ストッパ片
７１      スライダ連結部
７２，１７２      スライドピン通過用凹部
７３，１７３      係合アーム
７４，１７４      ストッパ片本体
１７５      ストッパ操作部
【図１】
2011256527.tif 000003
【図２】
2011256527.tif 000004
【図３】
2011256527.tif 000005
【図４−１】
2011256527.tif 000006
【図４−２】
2011256527.tif 000007
【図５】
2011256527.tif 000008
【図６−１】
2011256527.tif 000009
【図６−２】
2011256527.tif 000010
【図７−１】
2011256527.tif 000011
【図７−２】
2011256527.tif 000012
【図８−１】
2011256527.tif 000013
【図８−２】
2011256527.tif 000014
【図９−１】
2011256527.tif 000015
【図９−２】
2011256527.tif 000016
【図１０】
2011256527.tif 000017
【図１１−１】
2011256527.tif 000018
【図１１−２】
2011256527.tif 000019
【図１２−１】
2011256527.tif 000020
【図１２−２】
2011256527.tif 000021
【図１２−３】
2011256527.tif 000022
【図１３】
2011256527.tif 000023
【図１４】
2011256527.tif 000024